(57)【要約】【課題】転送先として自機が指定された場合であっても、不正常な通信状態を発生させないファクシミリ装置を提供することを目的とする。【解決手段】第１回線および第２回線のそれぞれに対応付けられた第１通信部２５と第２通信部２６と、第１通信部２５または第２通信部２６のいずれかで受信されたファクシミリデータを、予め指定された転送先に第１通信部２５または第２通信部２６のいずれかを用いて転送する転送制御部２３ａとを備え、転送制御部２３ａは、転送先が第１通信部２５または第２通信部２６のいずれかである場合には、転送を禁止する。【選択図】図３
2008022170.tif 000002
【特許請求の範囲】
【請求項１】
複数の通信回線のそれぞれに対応付けられた複数の通信手段と、
前記複数の通信手段のいずれかで受信されたファクシミリデータを、予め指定された転送先に前記複数の通信手段のいずれかを用いて転送する転送制御手段とを備え、
前記転送制御手段は、前記転送先が前記複数の通信手段のいずれかである場合には、前記転送を禁止する
ことを特徴とするファクシミリ装置。
【請求項２】
前記ファクシミリ装置はさらに、前記複数の通信回線のそれぞれを示す複数の回線情報と前記転送先を示す転送先情報とを記憶する記憶手段を備え、
前記転送制御手段は、前記複数の通信手段のいずれかがファクシミリデータを受信した場合に、前記記憶手段に記憶された転送先情報が前記記憶手段に記憶された複数の回線情報のいずれかと一致するか否かを判断し、一致する場合に、前記転送を禁止する
ことを特徴とする請求項１記載のファクシミリ装置。
【請求項３】
前記転送制御手段はさらに、前記転送を禁止した場合に、転送を禁止した旨を表示する、印刷する、音声出力する、または、履歴情報として保存する
ことを特徴とする請求項１記載のファクシミリ装置。
【発明の詳細な説明】
【技術分野】
【０００１】
本発明は、ファクシミリ装置に関し、特に、受信したファクシミリデータを転送する機能を有するファクシミリ装置に関する。
【背景技術】
【０００２】
従来、受信したファクシミリデータを印刷するのみならず、他のファクシミリ装置に転送する機能を有するファクシミリ装置が存在する。
【０００３】
上記機能を有するファクシミリ装置において、転送先のファクシミリ番号（以下、「転送先番号」という。）はユーザが任意に設定可能である。
【０００４】
そのため、ユーザは、例えば、会社のファクシミリ装置に転送先として自宅のファクシミリ装置を設定することができる。これにより、ユーザは、自宅で会社宛にファクシミリ送信された書類等を確認することができる。
【０００５】
このような、ファクシミリデータの転送についての技術も開示されている（例えば、特許文献１参照）。
【特許文献１】特開２００５−２２３４８９号公報
【発明の開示】
【発明が解決しようとする課題】
【０００６】
ここで、従来、複数の通信回線で通信可能であり、かつ、それら通信回線に対応する複数のファクシミリ番号が割り当てられているファクシミリ装置も存在する。
【０００７】
このようなファクシミリ装置において、上述のデータ転送を行う場合、転送先の設定によっては不正常な通信状態が発生する場合が存在する。
【０００８】
図７は、複数の回線を使用して通信する従来のファクシミリ装置における転送設定とそれら設定下での通信状態の例を示す図である。
【０００９】
例えば、回線１および回線２の２回線を使用するファクシミリ装置Ａを想定し、それら回線に対応するファクシミリ番号がそれぞれ“１１１”と“２２２”であるとする。また、ファクシミリデータを送信する際は優先的に回線１を使用するものとする。
【００１０】
なお、図中の送信／受信欄の“Ｔｘ／Ｒｘ”は、それぞれの回線での受信および送信が可能であることを表している。
【００１１】
このようなファクシミリ装置Ａにおいて、転送先番号として番号“２２２”が指定されている場合（図７における組合せ１）、他のファクシミリ装置Ｂから番号“１１１”宛または番号“２２２”宛にファクシミリデータが送信されると、そのファクシミリデータは回線１または回線２で受信される。
【００１２】
ファクシミリ装置Ａは、いずれの回線でファクシミリデータを受信した場合であっても、そのファクシミリデータを番号“２２２”宛へ転送する。
【００１３】
つまり、番号“２２２”には、自機から送信されたファクシミリデータが着信することになる。さらに、優先回線が回線１であるため、ファクシミリ装置Ａは、そのファクシミリデータを、回線１を使用して再び番号“２２２”宛に送信する。つまり、全く意味のないループ処理が継続するデッドループの状態に陥ることになる。
【００１４】
また、回線１が他のファクシミリデータの受信等により使用中である場合は、回線２を使用して転送することになる。しかし、この場合は、番号“２２２”から番号“２２２”宛にファクシミリデータを転送しようとすることになり、話中の状態、つまり、ビジーの状態になる。
【００１５】
ビジーの状態になると、例えば、所定の期間経過後に、再び転送先番号である“２２２”へのファクシミリデータの送信を試行するリダイヤルが行われることになるが、当然に再度ビジーとなり、この動作が繰り返されることとなる。
【００１６】
また、上記ファクシミリ装置Ａにおいて、転送先番号として番号“１１１”が設定されている場合（図７における組合せ２）、ファクシミリデータ受信すると、回線１を使用して番号“１１１”宛へそのファクシミリデータを転送しようとする。
【００１７】
この場合も、自番号宛のファクシミリデータの送信であり、ビジーの状態となり、例えば、所定の期間経過ごとに無意味なリダイヤルを繰り返すことになる。
【００１８】
また、あるファクシミリデータを受信した直後に番号“１１１”宛の他のファクシミリデータを受信した場合、回線１が使用中となるため、回線２を使用して、先のファクシミリデータを番号“１１１”宛へ転送することになる。
【００１９】
この場合、回線１が使用中でない、つまり回線１が空いていれば、自機から送信されたそのファクシミリデータを回線１で受信することになる。そのため、再度、番号“１１１”宛への転送を試行することとなり、上記同様、無意味なリダイヤルが繰り返されることとなる。または、回線２を使用して、ファクシミリデータを番号“１１１”宛へ転送することになりデッドループの状態に陥ることになる。
【００２０】
このように、複数の回線で通信可能なファクシミリ装置においては、デッドループ、または断続的なビジー等の不正常な通信状態が発生する場合が存在する。
【００２１】
このような通信状態が発生すると、無駄に通信回線を占有し、不要な処理を実行することとなる。つまり、回線リソースの使用、消費電力、および回線使用に係るコスト等における無駄が発生する。
【００２２】
本発明は、上記従来の課題を考慮し、ファクシミリデータの転送機能を有するファクシミリ装置であって、転送先として自機が指定された場合であっても、不正常な通信状態を発生させないファクシミリ装置を提供することを目的とする。
【課題を解決するための手段】
【００２３】
上記目的を達成するために、本発明に係るファクシミリ装置は、複数の通信回線のそれぞれに対応付けられた複数の通信手段と、前記複数の通信手段のいずれかで受信されたファクシミリデータを、予め指定された転送先に前記複数の通信手段のいずれかを用いて転送する転送制御手段とを備え、前記転送制御手段は、前記転送先が前記複数の通信手段のいずれかである場合には、前記転送を禁止することを特徴とする。
【００２４】
これにより、転送先として自機が指定された場合、その番号へのファクシミリデータの転送は禁止される。つまり、上述のようなデットループ等の不正常な通信状態が発生することがない。
【００２５】
また、前記ファクシミリ装置はさらに、前記複数の通信回線のそれぞれを示す複数の回線情報と前記転送先を示す転送先情報とを記憶する記憶手段を備え、前記転送制御手段は、前記複数の通信手段のいずれかがファクシミリデータを受信した場合に、前記記憶手段に記憶された転送先情報が前記記憶手段に記憶された複数の回線情報のいずれかと一致するか否かを判断し、一致する場合に、前記転送を禁止するのが好ましい。
【００２６】
これにより、転送の直前に、記憶手段から転送先情報等を読み出して転送を禁止するか否かの判断を行うことができる。また、記憶手段に転送先情報等を記憶させるため、例えば、転送先のファクシミリ装置のファクシミリ番号が変更になった場合、または、自機に割り当てられたファクシミリ番号が変更になった場合であっても、記憶手段の記憶内容の書き換えで対応することが可能となる。
【００２７】
また、前記転送制御手段はさらに、前記転送を禁止した場合に、転送を禁止した旨を表示する、印刷する、音声出力する、または、履歴情報として保存するのが好ましい。
【００２８】
これにより、ユーザは、ファクシミリ装置に何らかの不都合が生じていることを知ることができ、転送先の変更等の適切な処置をとることができる。
【発明の効果】
【００２９】
本発明により、転送先として自機が指定された場合であっても、不正常な通信状態が発生することを未然に防止することができる。
【００３０】
従って、ファクシミリ装置において、上記の不正常な通信状態を起因とする、回線リソースの使用、消費電力、および回線使用に係るコスト等における無駄の発生が確実に防止される。そのため、本発明の実用的価値は極めて高い。
【発明を実施するための最良の形態】
【００３１】
以下、本発明の実施の形態について図面を用いて詳細に説明する。
【００３２】
図１は、本発明に係るファクシミリ装置を含む通信システムの構成を示す図である。
【００３３】
この通信システムは、ファクシミリデータを送受信するシステムであり、ＰＳＴＮ（Ｐｕｂｌｉｃ  Ｓｗｉｔｃｈｅｄ  Ｔｅｌｅｐｈｏｎｅ  Ｎｅｔｗｏｒｋｓ；公衆電話交換回線網）６を介して複数のファクシミリ装置が通信可能に接続されている。
【００３４】
具体的には、この通信システムは、本発明に係るファクシミリ装置１、ファクシミリ装置１の通信相手となる相手ファクシミリ装置２およびフ相手ファクシミリ装置３、並びに、インターネットプロトコルによる通信が可能なＬＡＮ７を介してファクシミリ装置１と接続された端末装置４及び５から構成される。
【００３５】
端末装置４及び５は、それぞれパーソナルコンピュータ（ＰＣ）である。ファクシミリ装置１のユーザは、これらＰＣを用いて、ファクシミリ装置１の各種設定、各種設定内容の確認、および動作状態の確認等を行うことができる。
【００３６】
ファクシミリ装置１は、本発明に係るファクシミリ装置の一例であり、アナログ回線で通信するＧ３ファクシミリ装置である。また、複数の通信回線で通信可能であり、かつ、ファクシミリデータの転送機能を有している。
【００３７】
本実施の形態においては、ファクシミリ装置１は第１回線および第２回線の２つの通信回線で通信可能であり、各回線に対応したファクシミリ番号が割り当てられている。
【００３８】
また、ファクシミリ装置１は、例えば、ＭＦＰ（Ｍｕｌｔｉ  Ｆｕｎｃｔｉｏｎ  Ｐｅｒｉｐｈｅｒａｌｓ；複合機）等である。
【００３９】
本実施の形態の通信システムにおいて、ファクシミリ装置１は、例えば、図１に示すように、相手ファクシミリ装置３から受信するファクシミリデータを、相手ファクシミリ装置２へ転送することができる。
【００４０】
図２は、本発明に係るファクシミリ装置１のハードウェア構成の概要を示す概要図である。
【００４１】
ファクシミリ装置１は、ハードウェア構成として、図２に示すように、ＣＰＵ１０、ＲＯＭ１１、ＲＡＭ１２、操作パネル１５、ディスプレイ１６、スキャナ１７、プリンタ１８及びＬＡＮＩ／Ｆ（ＬＡＮ  インターフェース）１９、第１モデム１３ａおよび第２モデム１３ｂ、並びに、第１ＮＣＵ（Ｎｅｔｗｏｒｋ  Ｃｏｎｔｒｏｌ  Ｕｎｉｔ）１４ａおよび第２ＮＣＵ１４ｂを備える。
【００４２】
ＣＰＵ１０は、ＲＯＭ１１に格納された制御プログラム１１ａを実行するプロセッサである。
【００４３】
ＲＯＭ１１は、制御プログラム１１ａ等を保持する読み出し専用メモリである。
【００４４】
ＲＡＭ１２は、ＣＰＵ１０が制御プログラム１１ａを実行するときに使用するワークエリア、および、スキャナ１７で読み込まれた画像データや他のファクシミリ装置から送信されてきた画像データ等を一時的に保持する揮発性の記憶領域を有する読み書き可能なメモリである。
【００４５】
また、ＲＡＭ１２は、第１回線情報１２ａと第２回線情報１２ｂと転送条件情報１２ｃとを保持する不揮発性の記憶領域も有している。
【００４６】
ここで、第１回線情報１２ａとは、第１回線に対応するファクシミリ番号を示す情報であり、本実施の形態においては“０００−０１１１”が第１回線情報１２ａとして記憶されている。また、第２回線情報１２ｂとは、第２回線に対応するファクシミリ番号を示す情報であり、本実施の形態においては“０００−０２２２”が第２回線情報１２ｂとして記憶されている。
【００４７】
つまり、他のファクシミリ装置は、“０００−０１１１”または“０００−０２２２”宛にファクシミリデータを送信することでファクシミリ装置１にそのファクシミリデータを届けることができる。
【００４８】
なお、これら各回線情報として記憶されるファクシミリ番号は、ファクシミリ装置１において発信元情報（ＴＳＩ；Ｔｒａｎｓｍｉｔｔｅｒ  Ｓｕｂｓｃｒｉｂｅｒ’ｓ  Ｉｄｅｎｔｉｆｉｃａｔｉｏｎ）として設定されるファクシミリ番号が流用される。
【００４９】
また、転送条件情報１２ｃとは、転送先のファクシミリ装置のファクシミリ番号を含む転送条件を示す情報である。転送条件については図３を用いて後述する。
【００５０】
ファクシミリ装置１は、これら各情報を使用してファクシミリデータの転送制御を行う。転送制御を行う際の動作については、図６を用いて後述する。
【００５１】
第１モデム１３ａおよび第２モデム１３ｂは、ファクシミリ送信される画像データを変調したり、外部からファクシミリ送信されてきた画像データを復調するＧ３用ファックスモデム等である。
【００５２】
第１ＮＣＵ１４ａおよび第２ＮＣＵ１４ｂは、ＰＳＴＮ６と接続される回線終端装置である。
【００５３】
なお、第１モデム１３ａと第１ＮＣＵ１４ａとは第１回線での通信に対応し、第２モデム１３ｂと第２ＮＣＵ１４ｂとは第２回線での通信に対応している。
【００５４】
また、ファクシミリデータの送信においては、第１回線が優先的に使用される。つまり、第１回線が使用中でない場合は、常に、第１回線を使用して、ファクシミリデータが送信される。
【００５５】
操作パネル１５は、ユーザからの操作を受け付けるパネルであり、送信先のファクシミリ番号等を受け付ける構成部である。
【００５６】
ディスプレイ１６は、液晶表示装置（ＬＣＤ）等であり、ユーザとの対話に使用されたり、ファクシミリ装置１の動作状態を表示したりする構成部である。また、小型のスピーカを内蔵しており、動作状態等の情報を音声でユーザに知らせることができる。
【００５７】
スキャナ１７は、ファクシミリ送信したり、プリンタ１８に複写出力したりする原稿の内容をＣＣＤ等で読み取り、画像データを生成する画像読み取り装置である。
【００５８】
プリンタ１８は、印刷装置であり、他のファクシミリ装置からＰＳＴＮ６、ＮＣＵ１４ａ及びモデム１３ａを介してファクシミリデータとして送信されてきた書類や、スキャナ１７が読み取った画像等を印刷出力する。
【００５９】
ＬＡＮＩ／Ｆ１９は、このファクシミリ装置１とＬＡＮ７とを接続する通信アダプタである。
【００６０】
図３は、本発明に係るファクシミリ装置１の特徴的な機能構成を示すブロック図である。つまり、図２に示されるハードウェア構成によって発揮されるファクシミリ装置１の機能のうち、主に本発明に関わる機能を示すブロック図である。
【００６１】
ファクシミリ装置１は、機能的には、図３に示すように、記憶部２０、入力部２１、表示部２２、制御部２３、第１通信部２５、第２通信部２６、および印刷部２４を備える。
【００６２】
また、制御部２３は、ファクシミリデータの転送を制御する転送制御部２３ａを有している。
【００６３】
記憶部２０は、図２におけるＲＡＭ１２に対応し、第１回線情報１２ａ、第２回線情報１２ｂおよび転送条件情報１２ｃを記憶する記憶手段の一例である。
【００６４】
入力部２１は、図２における操作パネル１５及びスキャナ１７等に対応し、ユーザからの指示や転送条件等の入力を受け付けることができる。
【００６５】
表示部２２は、図２におけるＣＰＵ１０と制御プログラム１１ａとディスプレイ１６等によって実現されるものであり、例えば、転送処理に関する情報を表示する。または、音声でその情報をユーザに報知する。
【００６６】
制御部２３は、図２におけるＣＰＵ１０と制御プログラム１１ａ等によって実現されるものであり、ファクシミリ装置１全体の制御を行う。なお、ファクシミリデータの転送に係る動作は転送制御部２３ａが行う。
【００６７】
具体的には、転送制御部２３ａは、第１通信部２５または第２通信部２６のいずれかで受信されたファクシミリデータを、予め指定された転送先に第１通信部２５または第２通信部２６のいずれかを用いて転送する。また、転送先が第１通信部２５または第２通信部２６のいずれかである場合、つまり、転送先のファクシミリ番号が、第１回線または第２回線に対応する番号である場合には、転送を禁止する。
【００６８】
第１通信部２５は、図２におけるＣＰＵ１０と制御プログラム１１ａと第１モデム１３ａと第１ＮＣＵ１４ａ等によって実現される通信手段の一例であり、第１回線に対応する通信手段である。
【００６９】
第２通信部２６は、図２におけるＣＰＵ１０と制御プログラム１１ａと第２モデム１３ｂと第２ＮＣＵ１４ｂ等によって実現される通信手段の一例であり、第２回線に対応する通信手段である。
【００７０】
印刷部２４は、図２におけるＣＰＵ１０と制御プログラム１１ａとプリンタ１８等によって実現されるものであり、ファクシミリデータとして送信されてきた書類等を印刷出力する。
【００７１】
図４は、記憶部２０に記憶されている転送条件情報１２ｃのデータ構成の一例を示す図である。
【００７２】
本実施の形態における転送条件情報１２ｃは、図４に示すように、転送先番号、発信元番号、指定時刻、同時出力、および後処理のそれぞれを示す数字または文字列等を有している。
【００７３】
転送先番号は、ファクシミリ装置１が受信したファクシミリデータを転送する転送先のファクシミリ装置のファクシミリ番号である。
【００７４】
発信元番号は、上記の転送先番号宛へのファクシミリデータの転送の対象となる発信元番号である。
【００７５】
指定時刻は、上記の転送先番号宛のファクシミリデータの転送を行う、ファクシミリ受信期間を示す時刻である。
【００７６】
同時印刷は、ファクシミリデータの転送を行う場合に、ファクシミリ装置１で当該ファクシミリデータの印刷出力をするか否かを示す情報である。なお、図４の例に示す“ＯＮ”は、印刷出力をすることを示している。
【００７７】
後処理は、ファクシミリデータの転送に係る処理の後にファクシミリ装置１が実行する処理を定義する情報である。
【００７８】
具体的には、“表示”は、ファクシミリデータの転送を実行した旨または禁止した旨を示す結果情報を表示部２２に表示することを、“印刷”は、結果情報を印刷することを、“音”は、結果情報を音声出力することを、“記録”は、転送を実行した旨または禁止した旨を履歴情報として記録することを意味している。
【００７９】
上述のような転送条件情報１２ｃは、ユーザにより設定される。
【００８０】
図５は、転送条件情報の入力のための入力画面の一例を示す図である。ユーザは、入力部２１に表示される、図５に示すような入力画面において、項目ごとに数字等を入力または選択することができる。
【００８１】
制御部２３は、ユーザから入力等された転送先番号等を転送条件情報１２ｃとして記憶部２０に記憶させる。
【００８２】
ファクシミリ装置１では、このようにして設定され記憶された転送条件情報１２ｃに従ったファクシミリデータの転送制御が行われる。
【００８３】
例えば、図４に示す転送条件情報１２ｃがユーザに設定された場合、発信元番号である“０９８−７６５４”から１８時から翌日の６時までの間に受信したファクシミリデータのみが、転送の対象となる。
【００８４】
さらに、転送条件情報１２ｃとして記憶されている転送先番号が、自機のファクシミリ番号、つまり、第１回線情報１２ａおよび第１回線情報１２ａに示されるファクシミリ番号と一致しない場合のみ、そのファクシミリデータの転送が実行される。
【００８５】
また、ファクシミリデータの転送に係る処理の後に、上述のように、結果情報の表示等がなされる。これにより、ユーザは、ファクシミリデータが転送されたこと、または転送されなかったことを知ることができる。
【００８６】
次に、以上のように構成された本実施の形態におけるファクシミリ装置１の動作について説明する。
【００８７】
図６は、本発明に係るファクシミリ装置１におけるファクシミリデータの転送処理の手順を示すフローチャートである。
【００８８】
ファクシミリ装置１において、第１通信部２５または第２通信部２６は、ファクシミリデータを受信する際に、発信元のファクシミリ装置からＴＳＩを受信する。
【００８９】
転送制御部２３ａは、そのＴＳＩに示される発信元のファクシミリ番号と、記憶部２０に記憶されている転送条件情報１２ｃの発信元番号とを比較することで、受信したファクシミリデータが転送の対象であるか否かを判断する（Ｓ１）。
【００９０】
具体的には、転送制御部２３ａは、ＴＳＩに示される発信元のファクシミリ番号と、転送条件情報１２ｃの発信元番号とが一致しない場合（Ｓ１でＹｅｓ）、当該ファクシミリデータは転送の対象ではなく、転送に係る処理を終了する。
【００９１】
また、ＴＳＩに示される発信元のファクシミリ番号と、転送条件情報１２ｃの発信元番号とが一致する場合（Ｓ１でＹｅｓ）、当該ファクシミリデータは転送の対象であり、回線情報と転送先番号とを参照する（Ｓ２）。さらに、転送先が、自機の２つの通信部のいずれかであるか否かを判断する（Ｓ３）。
【００９２】
具体的には、転送制御部２３ａは、記憶部２０に記憶されている転送先番号と、第１回線情報１２ａおよび第２回線情報１２ｂとを読み出す。
【００９３】
読み出した転送先番号と、第１回線情報１２ａおよび第２回線情報１２ｂに示される各ファクシミリ番号とを比較する。比較の結果、転送先番号といずれかのファクシミリ番号とが一致した場合（Ｓ３でＹｅｓ）、転送を禁止する（Ｓ４）。つまり、転送制御部２３ａは、当該ファクシミリデータを転送するための制御を行わない。
【００９４】
また、比較の結果、転送先番号が、いずれのファクシミリ番号とも一致しなかった場合（Ｓ３でＮｏ）、転送先番号宛に当該ファクシミリデータを転送する（Ｓ５）。
【００９５】
さらに、図４に示すように、転送条件情報１２ｃにおいて同時印刷が“ＯＮ”である場合、転送制御部２３ａは印刷部２４に対し、当該ファクシミリデータの印刷出力を行わせるための制御を行う。
【００９６】
本実施の形態において、記憶部２０には、上述のように、第１回線情報１２ａおよび第２回線情報１２ｂとして“０００−０１１１”および“０００−０２２２”が記憶されている。
【００９７】
そのため、例えば、図４に示すように転送先番号が“１２３−４５６７”と指定されている場合、転送先番号と上記各ファクシミリ番号とは一致しない。
【００９８】
そのため、転送制御部２３ａは、ファクシミリデータの送信に優先的に使用する第１通信部２５に対し、当該ファクシミリデータを“１２３−４５６７”宛に送信するよう制御する。
【００９９】
また、例えば、転送先番号が“０００−０１１１”と指定されている場合、第１回線情報１２ａの“０００−０１１１”と一致する。つまり、自機が転送先として指定されている状態である。
【０１００】
そのため、転送制御部２３ａは、第１通信部２５に対し転送のための制御を行わない。また、転送先番号が“０００−０２２２”と指定されている場合も、同様に転送のための制御を行わない。
【０１０１】
その後、転送制御部２３ａは、転送条件情報１２ｃに示される後処理の内容に従い、転送を実行した旨、または、転送を禁止した旨を示す結果情報を表示する。具体的には、表示部２２に結果情報を表示させる。
【０１０２】
なお、後処理として“記録”が指定されている場合、結果情報は、例えば、記憶部２０の所定の領域に履歴情報として記憶される。
【０１０３】
記憶された履歴情報は、例えば、ユーザの入力部２１からの指示に応じ、制御部２３によって記憶部２０から読み出され、表示部２２に表示出力される。また、印刷部２４により印刷出力される。
【０１０４】
このように、本実施の形態におけるファクシミリ装置１は、指定された転送先にファクシミリデータを転送することができる。また、この転送に係る処理において、予め指定されている転送先が、自機が備える複数の通信部のいずれかである場合、ファクシミリデータの転送を禁止する。
【０１０５】
指定されている転送先が自機である場合に、受信したファクシミリデータの転送を行うと、上述のように、デッドループ等の不正常な通信状態が発生することとなる。そこで、当該転送を禁止することで、不正常な通信状態の発生を未然に防止することができる。
【０１０６】
これにより、不正常な通信状態を起因とする回線リソースの無駄な占有等の発生が確実に防止されることとなる。
【０１０７】
さらに、転送が禁止された場合、転送を禁止した旨が表示出力等によりユーザに報知される。そのため、ユーザは、転送先の変更等の適切な処置をとることができる。
【０１０８】
以上、本発明に係るファクシミリ装置１について、実施の形態に基づいて説明したが、本発明は、この実施の形態に限定されるものではない。
【０１０９】
たとえば、本実施の形態では、図４に示すように、転送条件情報１２ｃとして転送先番号等の５種類の情報が指定されているとした。しかしながら、これら５種類の情報の全てが指定されていなくてもよい。
【０１１０】
例えば、ファクシミリ装置１に着信するファクシミリデータの全てを転送の対象とする場合、少なくとも１つの転送先が指定されていればよい。つまり、転送条件情報１２ｃとして転送先番号のみが記憶部２０に記憶されていればよい。
【０１１１】
また、転送条件情報１２ｃとして、複数の転送先が指定されていてもよい。これにより、例えば、番号“３３３”が発信元であるファクシミリデータは番号“４４４”を宛先として転送し、番号“５５５”が発信元であるファクシミリデータは番号“６６６”を宛先として転送することができる。
【０１１２】
この場合、転送先番号“４４４”と発信元番号“３３３”との組のような、転送先番号と発信元番号との組を、必要に応じた数だけ転送条件情報１２ｃとして記憶部２０に記憶させておけばよい。また、転送制御部２３ａは、それら全てを参照し、転送制御すればよい。
【０１１３】
また、転送先番号と発信元番号とは１対１でなくてもよく、多対１または１対多であってもよい。
【０１１４】
転送制御部２３ａは、転送先番号が複数指定されている場合であっても、それぞれの転送先番号について、順次、回線情報として記憶されている複数のファクシミリ番号のいずれかと一致するか否かを判断すればよい。また、複数のファクシミリ番号のいずれかと一致する転送先番号を宛先とする転送を禁止すればよい。
【０１１５】
また、ファクシミリ装置１において、ファクシミリデータを受信した際に受信するＴＳＩに示される発信元番号が、第１回線情報１２ａおよび第２回線情報１２ｂのいずれかと一致するか否かを判断し、その判断結果をファクシミリデータの転送の可否決定に利用してもよい。
【０１１６】
例えば、上記判断の結果、発信元番号が、第１回線情報１２ａおよび第２回線情報１２ｂのいずれかと一致し、かつ、転送条件情報１２ｃの転送先情報が第１回線情報１２ａおよび第２回線情報１２ｂのいずれかと一致した場合に、当該ファクシミリデータの転送を禁止してもよい。
【０１１７】
これにより、転送先として自機が指定されている場合、他のファクシミリ装置からファクシミリデータを受信すると、一度だけ自機宛にそのファクシミリデータを転送した後は再度転送されることはない。つまり、上述のデッドループの状態に陥ることはない。
【０１１８】
また、ＴＳＩに示される発信元のファクシミリ番号と、転送条件情報１２ｃとして記憶されている転送先番号とが一致するか否かを判断し、一致する場合は、当該ファクシミリデータの転送を禁止してもよい。
【０１１９】
例えば、転送先として、相手ファクシミリ装置２が指定されている場合を想定する。さらに、ユーザが相手ファクシミリ装置３にファクシミリデータを送信しようと考え、ファクシミリ装置１において、誤って、自機のファクシミリ番号を宛先として入力した場合を想定する。
【０１２０】
この場合、ファクシミリ装置１において、そのファクシミリデータの送信に使用する回線とは別の回線が使用中でなければ、そのファクシミリデータは自機に着信する。さらに、転送先として指定されている相手ファクシミリ装置２に転送される。
【０１２１】
つまり、ユーザが意図した宛先とは別のファクシミリ装置に当該ファクシミリデータが送信されることとなる。
【０１２２】
そこで、上述のように、ファクシミリデータとともに受信するＴＳＩが、自機のファクシミリ番号を示す場合は転送を禁止することで、ユーザが意図しない宛先にファクシミリデータが送信されることを防ぐことができる。
【産業上の利用可能性】
【０１２３】
本発明は、ファクシミリ装置として、例えば、ＭＦＰ等として、特に、複数の通信回線で通信可能であり、かつ、ファクシミリデータの転送機能を備えるファクシミリ装置として有用である。
【図面の簡単な説明】
【０１２４】
【図１】本発明に係るファクシミリ装置を含む通信システムの構成を示す図である。
【図２】ファクシミリ装置のハードウェア構成の概要を示す概要図である。
【図３】ファクシミリ装置の特徴的な機能構成を示すブロック図である。
【図４】転送条件情報のデータ構成の一例を示す図である。
【図５】転送条件情報の入力のための入力画面の一例を示す図である。
【図６】ファクシミリ装置におけるファクシミリデータの転送処理の手順を示すフローチャートである。
【図７】複数の回線を使用して通信する従来のファクシミリ装置における転送設定とそれら設定下での通信状態の例を示す図である。
【符号の説明】
【０１２５】
１    ファクシミリ装置
２、３    相手ファクシミリ装置
４、５    端末装置
６    ＰＳＴＮ
７    ＬＡＮ
１０    ＣＰＵ
１１    ＲＯＭ
１１ａ  制御プログラム
１２    ＲＡＭ
１２ａ  第１回線情報
１２ｂ  第２回線情報
１２ｃ  転送条件情報
１３ａ  第１モデム
１３ｂ  第２モデム
１４ａ  第１ＮＣＵ
１４ｂ  第２ＮＣＵ
１５    操作パネル
１６    ディスプレイ
１７    スキャナ
１８    プリンタ
１９    ＬＡＮＩ／Ｆ
２０    記憶部
２１    入力部
２２    表示部
２３    制御部
２３ａ  転送制御部
２４    印刷部
２５    第１通信部
２６    第２通信部
【図１】
2008022170.tif 000003
【図２】
2008022170.tif 000004
【図３】
2008022170.tif 000005
【図４】
2008022170.tif 000006
【図５】
2008022170.tif 000007
【図６】
2008022170.tif 000008
【図７】
2008022170.tif 000009